(57)【要約】【課題】スイッチ本体の作動ストロークより短いストロークの操作子の操作にてスイッチ本体を操作できるようにする。【解決手段】所定のストローク操作される操作子１７と、この操作子１７により回動される梃子２０と、この梃子２０により作動されるスイッチ本体１５とを具備し、操作子１７が、梃子２０の、回動支点部２０ａとスイッチ本体１５を作動させる作用点部２０ｂ以外の部分２０ｃに力を加えて梃子を回動させることにより、スイッチ本体１５の作動ストロークより短いストロークの操作子１７の操作にてスイッチ本体１５を作動させるようにした。【選択図】図１
2012209236.tif 000002
【特許請求の範囲】
【請求項１】
所定のストローク操作される操作子と、
この操作子により回動される梃子と、
この梃子により作動されるスイッチ本体とを具備し、
前記操作子が、前記梃子の、回動支点部と前記スイッチ本体を作動させる作用点部以外の部分に力を加えて該梃子を回動させることにより、前記スイッチ本体の作動ストロークより短いストロークの前記操作子の操作にて該スイッチ本体を作動させるようにしたことを特徴とするスイッチ装置。
【請求項２】
操作子により力を加えられる梃子の力点部が、梃子の回動支点部より作用点部と同じ側に存し、操作子の操作方向先に梃子及びスイッチ本体を順に配置したことを特徴とする請求項１記載のスイッチ装置。
【請求項３】
１つの操作子に対して複数の梃子を有し、この複数の梃子により１つのスイッチ本体を作動させるようにしたことを特徴とする請求項１又は２記載のスイッチ装置。
【請求項４】
操作子により力を加えられる梃子の力点部の位置を、梃子の作用点部側又はそれとは反対の方向に変更可能に構成したことを特徴とする請求項１ないし３のいずれかに記載のスイッチ装置。
【請求項５】
１つの操作子に対して複数の梃子を有し、この複数の梃子により１つのスイッチ本体を作動させるものであって、操作子により力を加えられるその複数の梃子の各力点部の位置を、そのうちの更に複数の梃子ごとに又は一つの梃子ごとに変更可能に構成したことを特徴とする請求項４記載のスイッチ装置。
【発明の詳細な説明】
【技術分野】
【０００１】
本発明は、スイッチ本体が操作子の操作で作動されるスイッチ装置に関する。
【背景技術】
【０００２】
従来より、この種のスイッチ装置としては、例えば図１４及び図１５に示すように、プッシュ操作される操作子１の操作方向（矢印Ａ）先にスイッチ本体２が具えられ、操作子１を操作することでスイッチ本体２がプッシュされて作動されるようになっているものが供されている。（例えば特許文献１参照）。
【先行技術文献】
【特許文献】
【０００３】
【特許文献１】特開昭６３−２２８５３８号公報
【発明の概要】
【発明が解決しようとする課題】
【０００４】
上記従来のものの場合、操作子１の操作ストロークとスイッチ本体２の作動ストロークは、同じ（Ｓ）であり、すなわち、スイッチ本体２の作動ストロークと同じストロークで操作子１が操作されてスイッチ本体２を作動させるようになっている。
このため、スイッチ本体２の作動ストロークより短いストロークの操作子１の操作でスイッチ本体２を作動させるスイッチ装置の要求があった場合、それに応ずることができないという問題点を有していた。
【０００５】
本発明は上述の事情に鑑みてなされたものであり、従ってその目的は、スイッチ本体の作動ストロークより短いストロークの操作子の操作にてスイッチ本体を作動させるものの要求に応ずることのできるスイッチ装置を提供するにある。
【課題を解決するための手段】
【０００６】
上記目的を達成するために、本発明のスイッチ装置は、所定のストローク操作される操作子と、この操作子により回動される梃子と、この梃子により作動されるスイッチ本体とを具備し、前記操作子が、前記梃子の、回動支点部と前記スイッチ本体を作動させる作用点部以外の部分に力を加えて該梃子を回動させることにより、前記スイッチ本体の作動ストロークより短いストロークの前記操作子の操作にて該スイッチ本体を作動させるようにしたことを特徴とする（請求項１の発明）。
【発明の効果】
【０００７】
上記手段によれば、操作子の操作を梃子で増大してスイッチ本体に伝え作動させるものであり、よって、スイッチ本体の作動ストロークより短いストロークの操作子の操作にてスイッチ本体を作動させることができるもので、かかるスイッチ装置の要求に応ずることができる。
【図面の簡単な説明】
【０００８】
【図１】本発明の第１実施例を示す操作前状態の断面図
【図２】操作後状態の断面図
【図３】本発明の第２実施例を示す図１相当図
【図４】図２相当図
【図５】本発明の第３実施例を示す図１相当図
【図６】図５のVI―VI線に沿う断面図
【図７】電気的構成のブロック図
【図８】カーナビ表示器の正面図
【図９】本発明の第４実施例を示す図７相当図
【図１０】スイッチ操作部部分の正面図
【図１１】本発明の第５実施例を示す図１相当図
【図１２】本発明の第６実施例を示す操作子部分の平面図
【図１３】操作子部分の右側面図
【図１４】従来例を示す図１相当図
【図１５】図２相当図
【発明を実施するための形態】
【０００９】
以下、本発明の第１実施例（第１の実施形態）につき、図１及び図２を参照して説明する。
まず、図１は、スイッチ装置の全体を操作前の状態で示しており、ベース１１と、これに被着したカバー１２とでケース１３を組成している。このケース１３のベース１１には、カバー１２側に回路基板１４を取付けており、回路基板１４には更にカバー１２側（反ベース１１側）にスイッチ本体１５を実装している。スイッチ本体１５は、この場合、タクトスイッチであり、ボタン１５ａが押し込み操作されることでオン又はオフ作動するようになっている。
【００１０】
一方、ケース１３のカバー１２には、中央部に開口部１６を形成しており、カバー１２内から該開口部１６にかけ操作子１７を配置していて、その操作子１７の山状の主部１７ａを開口部１６から反ベース１１側に突出させている。操作子１７は、主部１７ａの裾部から外方につば部１７ｂを有しており、そのつば部１７ｂの反主部１７ａ側の面のうち、特にこの場合、主部１７ａ寄りの複数個所である２箇所に、凸部１８を、主部１７ａを境として対称的に形成している。
【００１１】
又、ケース１３のカバー１２には、操作子１７を挟んで対向する両内側面の複数個所である２箇所に、梃子支持部１９を形成しており、この梃子支持部１９に、複数（この場合、２個）の梃子２０のそれぞれ一端部２０ａを、支軸２１によって、前記スイッチ本体１５側及び反スイッチ本体１５側に回動可能に取付け支持している。梃子２０は、他端部２０ｂにスイッチ本体１５側に突出する凸部２２を有しており、この凸部２２を前記スイッチ本体１５のボタン１５ａの突出側端面に当接させ、該ボタン１５ａを常時は突出させるスイッチ本体１５の弾発力により、梃子２０全体として図示のほゞ水平状態に保たれるようにしている。
【００１２】
そして又、前記操作子１７は、前記凸部１８を上述の梃子２０の回動支点部である一端部２０ａと他端部２０ｂ以外の部分である、それら両部分間の中ほどの部分２０ｃに当接させている。
【００１３】
次に、上記構成のものの作用、効果を述べる。
図１に示した操作前の状態から、今、操作子１７を図２に矢印Ａで示すようにプッシュ操作すると、梃子２０が一端部２０ａと他端部２０ｂとの間の中ほどの部分２０ｃを操作子１７の凸部１８により押圧され、すなわち、その部分２０ｃに力を加えられて、一端部２０ａを中心にスイッチ本体１５側に回動し、他端部２０ｂの凸部２２によってスイッチ本体１５のボタン１５ａを押し込む。従って、この場合、梃子２０の一端部２０ａと他端部２０ｂとの間の中ほどの部分２０ｃは操作子１７の凸部１８により力が加えられる力点部であり、梃子２０の凸部２２を有する他端部２０ｂはスイッチ本体１５を作動させる作用点部であって、ボタン１５ａを押し込まれたスイッチ本体１５はオン又はオフ作動する。なお、スイッチ本体１５はひとつのオン状態から異なる他のオン状態へと切り換わり作動するものであっても良い。
【００１４】
しかして、このとき、梃子２０によるスイッチ本体１５の作動ストロークはＳであり、それに対して、操作子１７の操作ストロークはＳ1であって、Ｓ＞Ｓ1であり、すなわち、操作子１７の操作を梃子２０で増大してスイッチ本体１５に伝え作動させ得ることにより、スイッチ本体１５の作動ストロークＳより短いストロークＳ1の操作子１７の操作にてスイッチ本体１５を作動させ得るものであり、かくして、かかるスイッチ装置の要求に応ずることができる。
【００１５】
加えて、上記構成のものの場合、操作子１７により力を加えられる梃子２０の力点部２０ｃは、梃子２０の一端部（回動支点部）２０ａより他端部（作用点部）２０ｂと同じ側に存し、操作子１７の操作方向（矢印Ａ）先に梃子２０及びスイッチ本体１５を順に配置した構成としている。これにより、スイッチ本体１５に向かって操作を加える部品を操作子１７の操作方向先から順に、あるいはその逆から順に、重ねるようにして組み込むことができて、組み立てを容易になすことができる。
【００１６】
更に、上記構成のものの場合、１つの操作子１７に対して複数の梃子２０を有し、この複数の梃子２０により１つのスイッチ本体１５を作動させるようにしている。これにより、スイッチ本体１５の作動をより確実且つ安定して行わしめることができる。
なお、上述の操作子１７に加えた操作力を解除すれば、スイッチ本体１５が梃子２０によるボタン１５ａの押し込みを解除されて原状態に復帰することに伴い、梃子２０及び操作子１７も原位置に復帰する。
【００１７】
以上に対して、図３ないし図１３は本発明の第２ないし第６実施例（第２ないし第６の実施形態）を示すもので、第１実施例と同一又は同様の部分には同一の符号を付して説明を省略し、異なる部分についてのみ述べる。
【００１８】
［第２実施例］
図３及び図４に示す第２実施例においては、操作子１７の前記凸部１８に代えて、凸部３１を、つば部１７ｂの反主部１７ａ側の面の外周寄り（反主部１７ａ寄り）の複数個所である２箇所に、主部１７ａを境として対称的に形成している。
従って、このものの場合、梃子２０には、一端部２０ａと他端部２０ｂ以外の部分である、一端部２０ａと他端部２０ｂとの間のうちの一端部２０ａ寄りの部分２０ｄに、上記操作子１７の凸部３１を当接させている。
【００１９】
このようにすることにより、スイッチ本体１５の作動ストロークＳより短く且つ第１実施例の操作子１７の操作ストロークＳ1よりも更に短いストロークＳ2の操作子１７の操作にてスイッチ本体１５を作動させ得るものであり、かくして、この場合も、かかるスイッチ装置の要求に応ずることができる。
又、この第２実施例から明らかなように、梃子２０のうち、操作子１７の凸部１８により力が加えられる部分（力点部）の位置を変えることにより、操作子１７の操作ストロークを任意に設定することができる。
【００２０】
［第３実施例］
図５ないし図８に示す第３実施例においては、前記ケース１３に代わるケース４１を、前記ベース１１と、これに被着したカバー４２とで構成し、カバー４２には、前記開口部１６より大きな開口部４３を上面部のほゞ全域に形成して、その下方に前記操作子１７に代わる、全体に平坦な操作子（平面パッド）４４を配置している。
【００２１】
そして、梃子２０には、図６に示すように、それぞれ長手方向に透溝４５を形成し、この透溝４５にロッド４６を挿通している。ロッド４６は、詳しくは図示しないが伸縮可能なもの又は可撓性を有するものであり、梃子２０より操作子４４側の端部に透溝４５の幅より大きな例えば円柱状の授動部４７を一体に有し、この授動部４７を操作子４４の裏面と梃子２０の表面とに当接させてそれらの間に位置させている。
【００２２】
ロッド４６は、一方、梃子２０より操作子４４側とは反対側の端部に例えば上記授動部４７と同様の受動部４８を一体に有しており、この受動部４８を、前記回路基板１４のカバー４２側に配置したガイド４９に収納して、該受動部４８の移動を、ひいてはロッド４６から授動部４７の移動を、梃子２０の透溝４５に沿い案内するようにしている。
回路基板１４のカバー４２側には更に、ガイド４９よりスイッチ本体１５側に、受動部４８と同数の駆動装置であるモータ５０を配置し、このモータ５０にそれぞれ伸縮可能な（詳しくは図示せず）連繋部材５１を介して受動部４８を連繋している。
【００２３】
操作子４４下の前記回路基板１４のカバー４２側には、前記スイッチ本体１５、モータ５０、ガイド４９、及びロッド４６の受動部４８のほかに、図７に示すマイクロコンピュータ（以下、マイコンと略称する）５２を配置しており、このマイコン５２には、スイッチ本体１５からオン・オフ信号が入力されると共に、座標センサ５３から座標検知信号が入力されるようになっている。なお、座標センサ５３は例えばタッチパネルであり、操作子４４に組込まれていて、操作子４４へのタッチ操作でそのタッチ位置に応じた座標検知信号を出力するようになっている。
【００２４】
マイコン５２は、そのほか、カーナビゲーションシステム（以下、カーナビと略称する）の表示器５４とも繋がっており、その表示器５４は、図８に示す画面５５を表示可能としている。この画面５５は、スイッチ本体１５を操作するに要する力の強弱設定を表示するもので、図中右側が「強」側、左側が「弱」側を表示しており、この画面５５の部分を例えば使用者が指先Ｆで触れて図中右側又は左側に動かすことにより、後述のように、所望の強弱設定操作ができるようになっている。なお、表示器５４は、カーナビのそのほかの必要な画面も表示可能であり、更に、この表示器５４には前記座標センサ５３と同様にタッチパネルを組込んでいて、表示器５４へのタッチ操作でその操作に応じた信号をマイコン５２へ出力するようになっている。
【００２５】
マイコン５２は、図７に示すように、前記スイッチ本体１５と前記座標センサ５３及び上記カーナビの表示器５４からの各入力、並びにあらかじめ記憶した制御プログラムに基づいて、カーナビの表示器５４を制御すると共に、モータ５０を制御するようになっている。
ここで、モータ５０は、前記梃子２０やロッド４６（授動部４７、受動部４８）及びガイド４９の各組の数に応じて、この場合、４個存在し、従って梃子２０やロッド４６（授動部４７、受動部４８）及びガイド４９の各組も、この場合、４組存在しており、その配置は、正面形が矩形の操作子４４の中心部から四隅部への放射線に沿う対称配置としている（図１２参照）。
【００２６】
さて、このように構成した第３の実施例においては、使用者がカーナビの表示器５４に図８に示した画面５５を表示させて所望の強弱設定操作をすると、その操作が「強」側であれば、マイコン５２は、全モータ５０をその「強」側方向に回転作動させる。モータ５０が「強」側方向に回転作動されれば、それぞれ、連繋部材５１を介して、受動部４８がガイド４９に案内され、梃子２０の回動支点部側である一端部２０ａ側に移動される。又、それとともにロッド４６が、授動部４８を伴い、梃子２０の透溝４５に沿って、同じく梃子２０の回動支点部側である一端部２０ａ側に移動される。
【００２７】
梃子２０は、操作子４４をプッシュ操作したときに、上記授動部４８を介して力が加えられ、一端部２０ａを中心にスイッチ本体１５側に回動して、他端部２０ｂの凸部２２によってスイッチ本体１５のボタン１５ａを押し込むものであり（このときにロッド４６は収縮し、又はたわむ）、従って、この場合、梃子２０の授動部４８と接した部分２０ｅは操作子４４により力が加えられる力点部であり、この力点部（図７に示した力点部１〜４）の位置を梃子２０の回動支点部側（作用点部である他端部２０ｂ側とは反対の方向）に変更している。
【００２８】
しかして、このように変更すれば、第２実施例のように、スイッチ本体１５の作動ストロークより短く且つ第１実施例の操作子４４の操作ストロークよりも更に短いストロークの操作子４４の操作にてスイッチ本体１５を作動させ得るものであり、かかるスイッチ装置の要求に応ずることができる。又、この場合、操作子４４のプッシュ操作には、それまでより大きな力（操作荷重）が要るようになり、かくして操作子４４の操作フィーリングを、操作ストロークを小、操作荷重を大に変更することができる。
【００２９】
それに対して、図８に示した画面５５に対する使用者の操作が「弱」側であれば、マイコン５２は、全モータ５０をその「弱」側方向に回転作動させる。モータ５０が「弱」側方向に回転作動されれば、それぞれ、連繋部材５１を介して、受動部４８が梃子２０の回動支点部側である一端部２０ａ側とは反対の方向に移動される。又、それとともにロッド４６が、授動部４８を伴い、梃子２０の透溝４５に沿って、同じく梃子２０の回動支点部側である一端部２０ａ側とは反対の方向に移動される。従って、この場合には、梃子２０の力点部（力点部１〜４）の位置を梃子２０の回動支点部側とは反対の方向（作用点部である他端部２０ｂ側）に変更している。
【００３０】
しかして、このように変更すれば、上述よりも長いストロークの６の操作にてスイッチ本体１５を作動させ得るものであり、かかるスイッチ装置の要求に応ずることができるし、操作子４４のプッシュ操作には、上述より小さな力（操作荷重）しか要らないようになり、かくして操作子４４の操作フィーリングを、操作ストロークを大、操作荷重を小に変更することができる。
すなわち、この第３実施例のものは、操作子４４により力を加えられる梃子２０の力点部の位置を、梃子２０の作用点部側又はそれとは反対の方向に変更可能に構成したもので、操作子４４の操作フィーリング（操作ストロークと操作荷重）を任意に調整できるものである。
【００３１】
［第４実施例］
図９及び図１０に示す第４実施例においては、ケース４１の操作子４４近傍の位置に、スイッチ本体１５を操作するに要する力の強弱設定をするためのスイッチ６１の操作部６１ａを設け、これを使用者が指先Ｆで選択操作して所望の強弱設定ができるようにしている。又、その関係上、マイコン５２には、上記スイッチ６１から操作部６１ａの選択操作に応じた操作信号が入力されるようにしている。
【００３２】
従って、この場合には、スイッチ６１の操作部６１ａの選択操作で、スイッチ本体１５を操作するに要する力の強弱設定（操作フィーリングの設定）ができるものであり、このようにしても、第３実施例と同様の作用効果を得ることができる。
【００３３】
［第５実施例］
図１１に示す第５実施例においては、梃子２０の力点部の位置を変更するのに、第３実施例のモータ５０に代えて、ケース４１外にノブ７１を設け、このノブ７１とロッド４６の受動部４８とを伸縮可能な（詳しくは図示せず）連繋部材７２で連繋している。
【００３４】
しかして、このものの場合、ノブ７１を使用者が手で持って回転操作することにより、連繋部材７２を伸縮させて梃子２０の力点部の位置を変更できるものであり、梃子２０の力点部の位置を一つの梃子２０ごとに変更できるようになっている。
なお、梃子２０の力点部の位置を全部の梃子２０について一様に変更するには、全部のノブ７１について、又、複数の梃子２０ごとに変更するには、その複数のノブ７１について、それぞれ共通のダイヤルなど操作部材を設けて、それを操作するようにすれば良い。
【００３５】
［第６実施例］
図１２及び図１３に示す第５実施例においては、ケース４１を操作子４４が傾斜状態（図示例では、上部が下部より後側に位置する後傾状態）に設置されるものにおいて、使用者が指先の力を入れやすい上部側２個の梃子２０の力点部の位置を作用点部から遠い位置に設定し、力を入れにくい下部側２個の梃子２０の力点部の位置を作用点部に近い位置に設定している。
【００３６】
この場合、前者は、操作荷重が大となるも、使用者が指先の力を入れやすいのであるから難なく操作でき、後者は、使用者が指先の力を入にくいものの、操作荷重が小となるので、やはり難なく操作できるものであり、使用者の操作の負担の軽減、誤操作の防止等に効果を発揮する。
なお、このような設定は、梃子２０の力点部の位置を複数の梃子ごとに又は一つの梃子ごとに変更可能に構成したもので行うのが好ましい。
【００３７】
このほか、本発明は上記し且つ図面に示した実施例にのみ限定されるものではなく、要旨を逸脱しない範囲内で適宜変更して実施し得る。
【符号の説明】
【００３８】
図面中、１５はスイッチ本体、１７は操作子、２０は梃子、２０ａは一端部（回動支点部）、２０ｂは他端部（作用点部）、２０ｃ，２０ｄ，２０ｅは力点部、Ｓ1，Ｓ2は操作子の操作ストローク、Ｓはスイッチ本体の作動ストローク、４４は操作子を示す。
【図１】
2012209236.tif 000003
【図２】
2012209236.tif 000004
【図３】
2012209236.tif 000005
【図４】
2012209236.tif 000006
【図５】
2012209236.tif 000007
【図６】
2012209236.tif 000008
【図７】
2012209236.tif 000009
【図８】
2012209236.tif 000010
【図９】
2012209236.tif 000011
【図１０】
2012209236.tif 000012
【図１１】
2012209236.tif 000013
【図１２】
2012209236.tif 000014
【図１３】
2012209236.tif 000015
【図１４】
2012209236.tif 000016
【図１５】
2012209236.tif 000017